(57)【要約】      （修正有）【課題】冷蔵庫本体の上部に設けた冷蔵室に製氷機を備え、製氷機及びディスペンサの水の供給のための構成を簡素化する冷蔵庫を提供する。【解決手段】冷蔵庫本体１００の相対的に上部に冷蔵室が設けられ、下部に冷凍室が設けられる冷蔵庫において、前記冷蔵室の内部に別の断熱隔壁によって区画され、内部に製氷のための製氷機１０６と前記製氷機で作った氷を保存する氷保存部とが備えられる製氷室と、前記製氷室内部の温度を設定するための冷気を発生させる熱交換サイクルの構成部品の１つである第１の熱交換機と、前記冷蔵室及び冷凍室の温度を設定するための冷気を発生させる熱交換サイクルの構成部品の１つである第２の熱交換機とを含んで構成される。【選択図】図１
2010266195.tif 000002
【特許請求の範囲】
【請求項１】
冷蔵庫本体の相対的に上部に冷蔵室が設けられ、下部に冷凍室が設けられている冷蔵庫において、
前記冷蔵室の内部に別の断熱隔壁によって区画され、内部に製氷のための製氷機と前記製氷機で作った氷を保存する氷保存部とを備える製氷室と、
前記冷蔵室及び冷凍室の温度を設定するための冷気を発生させる熱交換サイクルの構成部品である少なくとも１つ以上の熱交換器と、
前記氷保存部と連通されて扉に備えられるディスペンサとを含むことを特徴とする冷蔵庫。
【請求項２】
前記熱交換器のうち、第１の熱交換器は前記製氷室の内部に備えられ、もう１つの第２の熱交換器は前記冷凍室の内部に備えられることを特徴とする請求項１に記載の冷蔵庫。
【請求項３】
前記第２の熱交換器は、前記冷凍室の後方に別に区画された熱交換チャンバーの内部に備えられ、前記熱交換チャンバーは、前記冷凍室及び冷蔵室とそれぞれ連通することを特徴とする請求項２に記載の冷蔵庫。
【請求項４】
前記熱交換チャンバーには、前記第２の熱交換機で生成された冷気を前記冷凍室及び冷蔵室へ送風する送風ファンがさらに備えられることを特徴とする請求項３に記載の冷蔵庫。
【請求項５】
前記製氷室は、前記冷蔵室の内部に着脱可能に設けられることを特徴とする請求項１に記載の冷蔵庫。
【請求項６】
前記冷蔵室は、前記冷蔵庫本体の両端上下部に備えられるヒンジによってそれぞれ回転可能に支持される一対の扉によって開閉されることを特徴とする請求項１に記載の冷蔵庫。
【請求項７】
前記扉の一側に前記製氷室が備えられることを特徴とする請求項６に記載の冷蔵庫。
【請求項８】
前記冷蔵室を開閉する複数の扉は、それぞれ異なる幅を有することを特徴とする請求項６に記載の冷蔵庫。
【請求項９】
前記冷蔵室を開閉する複数の扉の先端には、それぞれガスケットが備えられ、扉が閉まった時に、相互密着されることを特徴とする請求項６乃至８のいずれか１項に記載の冷蔵庫。
【請求項１０】
前記冷蔵室を開閉する扉の前面に備えられるディスペンサは、前記冷蔵室の内部に備えられる給水タンクから水が供給されることを特徴とする請求項１に記載の冷蔵庫。
【請求項１１】
前記給水タンクは、前記冷蔵室の内部における冷蔵庫本体の一側または冷蔵室の内部における扉の一側に設けられることを特徴とする請求項１０に記載の冷蔵庫。
【請求項１２】
前記給水タンク及び製氷室の製氷機には、外部の給水源から供給された水がフィルターを通って伝達され、前記給水源とフィルターとの間、及び前記フィルターと前記給水タンクとの間、及び前記フィルターと製氷機との間には、水を供給する管と水の流動を制御するバルブとがそれぞれ備えられることを特徴とする請求項１１に記載の冷蔵庫。
【請求項１３】
熱交換サイクルを構成する部品を備える冷蔵庫本体と、
前記冷蔵庫本体の相対的に上部に設けられている冷蔵室と、
前記冷蔵庫本体の相対的に下部に設けられている冷凍室と、
前記冷蔵室における冷蔵庫本体の左右両端につながれ、前記冷蔵室を開閉する一対の冷蔵室扉と、
前記冷凍室の前面部分を選択的に開閉する冷凍室扉と、
前記冷蔵室の内部に備えられ、冷蔵室扉の幅に対応する幅を有し、内部に物が保存される保存部とを含むことを特徴とする冷蔵庫。
【請求項１４】
前記一対の冷蔵室扉は、それぞれ同一幅を有し、相互対向する自由端部の先端面には相互密着されるガスケットを備えることを特徴とする請求項１３に記載の冷蔵庫。
【請求項１５】
前記一対の冷蔵室扉は、それぞれ異なる幅を有し、相互対向する自由端部の先端面には相互密着されるガスケットを備えることを特徴とする請求項１３に記載の冷蔵庫。
【請求項１６】
前記冷蔵室の内部には、断熱隔壁によって別の空間に区画され、製氷のための製氷機と前記製氷機で生成された氷を保存する氷保存部とを有する製氷室をさらに備えることを特徴とする請求項１３に記載の冷蔵庫。
【請求項１７】
前記製氷室は、前記冷蔵室に着脱可能に設けられることを特徴とする請求項１６に記載の冷蔵庫。
【請求項１８】
前記冷蔵室を開閉する一側扉の前面には、ディスペンサをさらに備え、前記ディスペンサには、前記冷蔵室の内部にある給水タンクから水が供給されることを特徴とする請求項１３に記載の冷蔵庫。
【請求項１９】
前記給水タンクは、前記冷蔵室内部における冷蔵庫本体の一側または冷蔵室内部における扉の一側に設けられることを特徴とする請求項１８に記載の冷蔵庫。
【請求項２０】
前記給水タンク及び製氷室の製氷機には、外部の給水源から供給された水がフィルターを通って伝達され、前記給水源とフィルターとの間、及び前記フィルターと前記給水タンクとの間、及び前記フィルターと製氷機との間には水を供給する管と水の流動を制御するバルブとがそれぞれ備えられることを特徴とする請求項１９に記載の冷蔵庫。
【請求項２１】
前記冷凍室扉は、引出式で開閉されることを特徴とする請求項１３に記載の冷蔵庫。
【請求項２２】
熱交換サイクルを構成する部品を備える冷蔵庫本体と、
前記冷蔵庫本体の相対的に上部に設けられている冷蔵室と、
前記冷蔵庫本体の相対的に下部に設けられている冷凍室と、
前記冷蔵室における冷蔵庫本体の左右両端につながれ、前記冷蔵室を開閉する一対の冷蔵室扉と、
前記冷凍室の前面部分を選択的に開閉する冷凍室扉と、
前記冷蔵室の内部に断熱隔壁によって別の空間に区画され、内部に製氷のための製氷機と前記製氷機で生成された氷を保存する氷保存部とを備える製氷室と、
前記熱交換サイクルの構成部品の１つであり、前記製氷室内部の温度を設定するための冷気を発生させる第１の熱交換機と、
前記熱交換サイクルの構成部品の１つであり、前記冷蔵室と冷凍室の温度を設定するための冷気を発生させる第２の熱交換機とを含むことを特徴とする冷蔵庫。
【請求項２３】
前記一対の冷蔵室扉は、それぞれ同一幅を有し、相互対向する自由端部の先端面には相互密着されるガスケットを備え、冷蔵室の内部には冷蔵室扉の左右幅と対応する幅を有するように物が保存される構造を備えることを特徴とする請求項２２に記載の冷蔵庫。
【請求項２４】
前記一対の冷蔵室扉は、それぞれ異なる幅を有し、相互対向する自由端部の先端面には相互密着されるガスケットが備えられ、冷蔵室の内部には冷蔵室扉の左右幅と対応する幅を有するように物が保存される構造を備えることを特徴とする請求項２２に記載の冷蔵庫。
【請求項２５】
前記冷蔵室を開閉する一側扉の前面には、ディスペンサをさらに備え、前記ディスペンサには、前記冷蔵室の内部にある給水タンクから水が供給されることを特徴とする請求項２２に記載の冷蔵庫。
【請求項２６】
前記給水タンクは、前記冷蔵室内部における冷蔵庫本体の一側または冷蔵室内部における扉の一側に設けられることを特徴とする請求項２５に記載の冷蔵庫。
【請求項２７】
前記給水タンク及び製氷室の製氷機には、外部の給水源から供給された水がフィルターを通って伝達され、前記給水源とフィルターとの間、及び前記フィルターと前記給水タンクとの間、及び前記フィルターと製氷機との間には水を供給する管と水の流動を制御するバルブとがそれぞれ備えられ、前記水を供給する管は冷蔵室に対応する冷蔵庫本体及び扉に備えられることを特徴とする請求項２５に記載の冷蔵庫。
【請求項２８】
冷蔵庫本体の相対的に上部に冷蔵室が設けられ、下部に冷凍室が設けられている冷蔵庫において、
前記冷蔵室の内部に別の断熱隔壁によって区画され、内部に製氷のための製氷機と前記製氷機で作った氷を保存する氷保存部とを備える製氷室と、
前記冷蔵室を開閉し、前面にディスペンサが設けられている冷蔵室扉と、
前記冷蔵室の内部に設けられて給水源から前記ディスペンサに供給される水を貯蔵する給水タンクと、
前記冷蔵庫本体のうち、冷蔵室に該当する位置に設けられ、給水源から供給された水を前記ディスペンサに供給するディスペンサ給水手段と、
前記冷蔵庫本体のうち、冷蔵室に該当する位置に設けられ、給水源から供給された水を製氷機に供給する製氷機給水手段とを含むことを特徴とする冷蔵庫。
【請求項２９】
前記ディスペンサ給水手段は、
給水源から供給された水を浄水するフィルターと、
前記フィルターから出た水を前記給水タンクにそれぞれ伝達するタンク供給管と、
前記給水タンクから前記ディスペンサに水を供給するディスペンサ供給管と、
前記給水源とフィルターとの間および前記フィルターとディスペンサとの間に備えられて水の流動を制御するバルブとを含むことを特徴とする請求項２８に記載の冷蔵庫。
【請求項３０】
前記製氷機給水手段は、
給水源から供給された水を浄水するフィルターと、
前記フィルターから出た水を前記製氷機に供給する製氷機供給管と、
前記給水源とフィルターとの間、前記フィルターとディスペンサとの間に備えられて水の流動を制御するバルブとを含むことを特徴とする請求項２８に記載の冷蔵庫。
【請求項３１】
前記冷蔵室は、少なくとも一対の冷蔵室扉によって開閉され、前記冷蔵室扉はそれぞれ同一幅を有することを特徴とする請求項２８に記載の冷蔵庫。
【請求項３２】
前記冷蔵室は、少なくとも一対の冷蔵室扉によって開閉され、前記冷蔵室扉はそれぞれ異なる幅を有することを特徴とする請求項２８に記載の冷蔵庫。
【発明の詳細な説明】
【技術分野】
【０００１】
本発明は、冷蔵庫に関し、より詳しくは、相対的に上部に冷蔵室が備えられ、下部に冷凍室が備えられ、冷蔵室に氷を作るための構成が備えられる冷蔵庫に関する。
【背景技術】
【０００２】
図１には、冷蔵室及び冷凍室が左右に相互並立するように配置される並立型冷蔵庫の構成が示されている。これによれば、冷蔵庫本体１００には前面が開口されるように冷凍室及び冷蔵室が左右に相互並立に備えられ、前記冷凍室及び冷蔵室はそれぞれ冷凍室扉１０２及び冷蔵室扉１０４によって開閉される。前記扉１０２、１０４はそれぞれ前記冷蔵庫本体１００の両端部上下に備えられるヒンジ１０２’、１０４’によって回転可能に支持される。
【０００３】
前記冷凍室には氷を作る製氷機１０６が備えられ、前記冷蔵室には水タンク１０８が備えられる。前記製氷機１０６及び水タンク１０８に供給される水はフィルター１１０によって予め浄水される。前記製氷機１０６及び水タンク１０８に供給される水は外部の給水源Ｗｓから前記フィルター１１０を通って供給される。
【０００４】
一方、前記冷凍室扉１０２の前面にはディスペンサ１１２が備えられる。前記ディスペンサ１１２は、前記水タンク１０８の水を扉を開放せずに飲用できるようにするものである。
【０００５】
ここで、前記冷蔵庫本体１００における水の供給は、多数の供給管１１０’、１０６’、１０８’、１１２’及びバルブ１１０ｖ、１０６ｖによって行われる。前記冷凍室扉１０２にあるディスペンサ１１２には、供給管１１２’が下部ヒンジ１０２’を通過して水を供給する。
【発明の概要】
【発明が解決しようとする課題】
【０００６】
しかしながら、前記のような従来技術による冷蔵庫においては次のような問題点がある。
【０００７】
従来技術では、製氷機１０６は冷凍室に、水タンク１０８は冷蔵室に備えられ、前記水タンク１０８から水の供給を受けるディスペンサ１１２が冷凍室扉１０２にあって、これらに水を供給するための供給管１１０’、１０６’、１０８’、１１２’が冷蔵庫本体１００に複雑に設けられる。したがって、全体的に供給管１１０’、１０６’、１０８’、１１２’が長くなって製造コストが高くなり、製造工程の複雑になる問題点が発生する。
【０００８】
そして、製氷機１０６が冷凍室側に備えられるので、製氷機１０６に供給される供給管１０６’が冷凍室を通過する区間で結氷される問題点がある。これを解決するため、前記供給管１０６’に別のヒータを使用しなければならない。しかし、ヒータの使用によって製造コストが高くなり、消費電力も高くなる。
【０００９】
一般的に、前記製氷機１０６は、氷を生成できる低温の環境になければならないので、冷凍室に設けられる。しかし、冷蔵庫の設計条件によっては、冷凍室の位置によって前記製氷機１０６の配置に様々な制約が伴う。例えば、冷凍室が冷蔵庫本体の相対的に下部に形成される場合に、一般的なユーザの身体条件などを考慮する時、冷凍室扉前面にディスペンサを設置して氷を取り出すことが不便になる問題点がある。
【００１０】
しかしながら、このように冷蔵庫本体の下部に冷凍室が形成されて上部に冷蔵室が形成される場合に、冷蔵室内部に製氷機を設けるようになれば、冷蔵室の温度制御が難しくなるか、または、製氷機の製氷能力が劣る問題点が生じる。
【００１１】
そして、前記のように冷蔵庫本体１００の冷凍室や冷蔵室をそれぞれ１つの扉１０２、１０４を使って開閉するように構成した場合、冷気の損失が多い問題点がある。特に、近年、冷蔵庫が大型化される趨勢においては、冷気の損失が相対的にもっと大きくなる。
【００１２】
本発明は、前記の従来技術の問題点に鑑みてなされたものであり、冷蔵庫本体の上部に設けた冷蔵室に製氷機を備える冷蔵庫を提供することを目的とする。
【００１３】
また、本発明は、保存空間の開閉の際、冷気の損失が最小化される冷蔵庫を提供することを他の目的とする。
【００１４】
また、本発明は、製氷機及びディスペンサを備える冷蔵庫において水の供給のための構成を簡素化することをさらに他の目的とする。
【課題を解決するための手段】
【００１５】
上記目的を達成するために、本発明に係る冷蔵庫は、冷蔵庫本体の相対的に上部に冷蔵室が設けられ、下部に冷凍室が設けられている冷蔵庫において、前記冷蔵室の内部に別の断熱隔壁によって区画され、内部に製氷のための製氷機と前記製氷機で作った氷を保存する氷保存部とを備える製氷室と、前記冷蔵室及び冷凍室の温度を設定するための冷気を発生させる、熱交換サイクルの構成部品である少なくとも１つ以上の熱交換器と、前記氷保存部と連通されて扉に備えられるディスペンサとを含むことを特徴とする。
【００１６】
前記熱交換器のうち、第１の熱交換器は前記製氷室の内部に備えられ、もう１つの第２の熱交換器は前記冷凍室の内部に備えられる。
【００１７】
前記第２の熱交換器は、前記冷凍室の後方に別に区画された熱交換チャンバーの内部に備えられ、前記熱交換チャンバーは前記冷凍室及び冷蔵室とそれぞれ連通する。
【００１８】
前記熱交換チャンバーには、前記第２の熱交換器で生成された冷気を前記冷凍室及び冷蔵室へ送風する送風ファンがさらに備えられる。
【００１９】
前記製氷室は、前記冷蔵室の内部に着脱可能に設けられる。
前記冷蔵室は、前記冷蔵庫本体の両端上下部に備えられるヒンジによってそれぞれ回転可能に支持される一対の扉によって開閉される。
【００２０】
前記扉の一側には、前記製氷室が備えられる。
前記冷蔵室を開閉する扉は、それぞれ異なる幅を有する。
前記冷蔵室を開閉する複数の扉の先端には、それぞれガスケットが備えられ、扉が閉まった時、相互密着される。
【００２１】
前記冷蔵室を開閉する扉の前面に備えられるディスペンサは、前記冷蔵室の内部に備えられる給水タンクから水が供給される。
前記給水タンクは、前記冷蔵室内部における冷蔵庫本体の一側や扉の一側に設けられる。
【００２２】
前記給水タンク及び製氷室の製氷機には、外部の給水源から供給された水がフィルターを通って伝達され、前記給水源と前記フィルターとの間、及び前記フィルターと前記給水タンクとの間、及び前記フィルターと製氷機との間には水を供給する管と水の流動を制御するバルブとがそれぞれ備えられる。
【００２３】
また、本発明に係る冷蔵庫は、熱交換サイクルを構成する部品を備える冷蔵庫本体と、前記冷蔵庫本体の相対的に上部に設けられている冷蔵室と、前記冷蔵庫本体の相対的に下部に設けられている冷凍室と、前記冷蔵室における冷蔵庫本体の左右両端につながれ、前記冷蔵室を開閉する一対の冷蔵室扉と、前記冷凍室の前面部分を選択的に開閉する冷凍室扉と、前記冷蔵室の内部に備えられ、冷蔵室扉の幅に対応する幅を有して内部に物が保存される保存部とを含むことを特徴とする。
【００２４】
前記一対の冷蔵室扉は、それぞれ同一幅を有し、相互対向する自由端部の先端面には相互密着されるガスケットを備える。
前記一対の冷蔵室扉は、それぞれ異なる幅を有し、相互対向する自由端部の先端面には相互密着されるガスケットを備える。
【００２５】
前記冷蔵室の内部には、断熱隔壁によって別の空間に区画され、製氷のための製氷機と前記製氷機で生成された氷を保存する氷保存部とを有する製氷室をさらに備える。
前記製氷室は、前記冷蔵室に着脱可能に設けられる。
【００２６】
前記冷蔵室を開閉する一側扉の前面には、ディスペンサをさらに備えるが、前記ディスペンサには前記冷蔵室の内部にある給水タンクから水が供給される。
前記給水タンクは、前記冷蔵室内部における冷蔵庫本体の一側または扉の一側に設けられる。
【００２７】
前記給水タンク及び製氷室の製氷機には、外部の給水源から供給された水がフィルターを通って伝達され、前記給水源とフィルターとの間、及び前記フィルターと前記給水タンクとの間、及び前記フィルターと製氷機との間には水を供給する管と水の流動を制御するバルブとがそれぞれ備えられる。
前記冷凍室扉は引出式で開閉される。
【００２８】
また、本発明に係る冷蔵庫は、熱交換サイクルを構成する部品を備える冷蔵庫本体と、前記冷蔵庫本体の相対的に上部に設けられている冷蔵室と、前記冷蔵庫本体の相対的に下部に設けられている冷凍室と、前記冷蔵室における冷蔵庫本体の左右両端につながれ、前記冷蔵室を開閉する一対の冷蔵室扉と、前記冷凍室の前面部分を選択的に開閉する冷凍室扉と、前記冷蔵室の内部に断熱隔壁によって別の空間に区画され、内部に製氷のための製氷機と前記製氷機で生成された氷を保存する氷保存部とを備える製氷室と、前記熱交換サイクルの構成部品の１つであり、前記製氷室内部の温度を設定するための冷気を発生させる第１の熱交換器と、前記熱交換サイクルの構成部品の１つであり、前記冷蔵室及び冷凍室の温度を設定するための冷気を発生させる第２の熱交換器とを含むことを特徴とする。
【００２９】
前記一対の冷蔵室扉は、それぞれ同一幅を有し、相互対向する自由端部の先端面には相互密着されるガスケットを備え、冷蔵室の内部には冷蔵室扉の幅と対応する幅を有するように物が保存される構造を備える。
【００３０】
前記一対の冷蔵室扉は、それぞれ異なる幅を有し、相互対向する自由端部の先端面には相互密着されるガスケットを備え、冷蔵室の内部には冷蔵室扉の幅と対応する幅を有するように物が保存される構造を備える。
【００３１】
前記冷蔵室を開閉する一側扉の前面には、ディスペンサをさらに備えるが、前記ディスペンサには前記冷蔵室の内部にある給水タンクから水が供給される。
前記給水タンクは、前記冷蔵室内部における冷蔵庫本体の一側や扉の一側に設けられる。
【００３２】
前記給水タンク及び製氷室の製氷機には、外部の給水源から供給された水がフィルターを通って伝達されるが、前記給水源とフィルターとの間、及び前記フィルターと前記給水タンクとの間、及び前記フィルターと製氷機との間には水を供給する管と水の流動を制御するバルブとがそれぞれ備えられ、前記水を供給する管は冷蔵室に対応する冷蔵庫本体及び扉に備えられる。
【００３３】
また、本発明に係る冷蔵庫は、冷蔵庫本体の相対的に上部に冷蔵室が設けられ、下部に冷凍室が設けられている冷蔵庫において、前記冷蔵室の内部に別の断熱隔壁によって区画され、内部に製氷のための製氷機と前記製氷機で作った氷を保存する氷保存部とを備える製氷室と、前記冷蔵室を開閉し、前面にディスペンサが設けられている冷蔵室扉と、前記冷蔵室の内部に設置されて給水源から前記ディスペンサに供給される水を貯蔵する給水タンクと、前記冷蔵庫本体のうち、冷蔵室に該当する位置に設けられ、給水源から供給された水を前記ディスペンサに供給するディスペンサ給水手段と、前記冷蔵庫本体のうち、冷蔵室に該当する位置に設けられ、給水源から供給された水を製氷機へ供給する製氷機給水手段とを含むことを特徴とする。
【００３４】
前記ディスペンサ給水手段は、給水源から供給された水を浄水するフィルターと、前記フィルターから出た水を前記給水タンクにそれぞれ供給するタンク供給管と、前記給水タンクから前記ディスペンサに水を供給するディスペンサ供給管と、前記給水源とフィルターとの間および前記フィルターとディスペンサとの間に備えられて水の流動を制御するバルブとを含んで構成される。
【００３５】
前記製氷機給水手段は、給水源から供給された水を浄水するフィルターと、前記フィルターから出た水を前記製氷機に供給する製氷機供給管と、前記給水源とフィルターとの間、前記フィルターとディスペンサとの間に備えられて水の流動を制御するバルブとを含んで構成される。
【００３６】
前記冷蔵室は、少なくとも一対の冷蔵室扉によって開閉され、前記冷蔵室扉はそれぞれ同一幅を有する。
前記冷蔵室は、少なくとも一対の冷蔵室扉によって開閉されるが、前記冷蔵室扉はそれぞれ異なる幅を有する。
【図面の簡単な説明】
【００３７】
【図１】従来技術による冷蔵庫の構成を示す正面図である。
【図２】本発明による冷蔵庫の第１実施例の構成を示す正面図である。
【図３】図２に示された本発明の第１実施例の構成を示す断面図である。
【図４】本発明の第２実施例の構成を示す正面図である。
【図５】図４に示された第２実施例における冷蔵室扉を開放して冷凍室扉を取り除いた状態を示す正面図である。
【図６】本発明の実施例におけるディスペンサ及び製氷機に水を供給する構成を示す正面図である。
【図７】本発明の実施例におけるディスペンサ及び製氷機に水を供給する構成の他の例を示す正面図である。
【発明を実施するための形態】
【００３８】
次に、図面に示した実施例に基づいて本発明に関してさらに詳しく説明する。
図２は、本発明による冷蔵庫の第１実施例の外観を示す正面図であり、図３は、本発明の第１実施例の内部構成を示す断面図である。
【００３９】
図示したように、冷蔵庫本体１には、保存空間である冷蔵室３及び冷凍室５が設けられている。前記冷蔵室３は前記冷蔵庫本体１の相対的に上部に設けられ、前記冷凍室５は相対的に下部に設けられている。前記冷蔵室３及び冷凍室５は、前記冷蔵庫本体１の内部でバリア４によって上下に区画される。
【００４０】
前記冷蔵室３及び冷凍室５は、前記冷蔵庫本体１の前面が開口されるように形成され、前記開口された部分は扉７、８、９によって開閉される。特に、前記冷蔵室３は一対の扉７、８によって開閉される。前記冷蔵室扉７、８は、前記冷蔵庫本体１の前面両端部の上下にそれぞれ設けられるヒンジ（図示せず）によって回動可能に支持される。すなわち、前記扉７、８は、閉まった時に、相互隣接するようになる自由端部である先端が冷蔵室３の左右の中間にあるように構成される。前記冷蔵室扉７、８は、１つの空間である冷蔵室３の左側半分と右側半分とをそれぞれ選択的に開閉する。
【００４１】
前記冷蔵室扉７、８の前面先端側には扉取っ手７ａ、８ａが備えられる。前記扉取っ手７ａ、８ａは、前記扉７、８の開閉の際、ユーザが手で握って力を加える部分である。前記冷凍室扉９にもその前面の上部に扉取っ手９ａが備えられる。また、前記冷凍室扉９は、冷凍室５から引出式で引出されるように構成される。
【００４２】
一方、冷蔵室３の内部には、氷を製造するための製氷室２０が設けられている。前記製氷室２０は前記冷蔵室３の上部の一側に備えられる。前記製氷室２０は、冷蔵室３に比べて著しい低温の状態を維持すべき部分であるため、別の断熱隔壁２２によって区画された空間になる。前記断熱隔壁２２は、製氷室２０を完全に覆い囲むように形成されるものであり、内部にはポリウレタンまたは発泡スチロールなどで構成される断熱材を内蔵している。
【００４３】
前記製氷室２０の内部には、実際に氷を製造する製氷機２４が備えられる。前記製氷機２４は、給水される水を製氷トレーに入れて製氷室２０内部の低温により水を結氷させることができるものであれば、いかなる構造のものでも構わない。前記製氷機２４の下部には氷保存部２６が備えられる。前記氷保存部２６は、製氷機２４で作られた氷を保存できる部分である。前記製氷機２４で作られた氷は多様な方式で氷保存部２６へ伝達できる。
【００４４】
前記氷保存部２６は、製氷された氷を臨時に保存してから、氷移送のための器具（例えば、回転によって氷を移送させられるスクリュー型ワイヤなど）によって移送される。前記氷保存部２６は、前記扉７及び断熱隔壁２２を介して備えられた氷排出ダクト２８と連通されており、前記氷排出ダクト２８は、選択的に開閉されて氷を前記扉７の前面に備えられたディスペンサ２９へ伝達する。前記氷排出ダクト２８は、外側では前記ディスペンサ２９と連通できるように扉７に設けられ、内側では前記製氷室２０の断熱隔壁２２を介して前記氷保存部２６と連通される。
【００４５】
前記ディスペンサ２９は、扉７を開放せずに、水及び氷を取出せるようにするものである。前記ディスペンサ２９には、水及び氷を取り出すための構成が備えられる。例えば、水や氷が取出される取出口の開閉信号が入力される作動レバーが扉７の前面に露出されるか、またはボタンが備えられる。前記作動レバーやボタンによって取出口が開閉され、水や氷を外部に取り出す。
【００４６】
前記製氷室２０の内部には別の蒸発機３２が設けられている。前記蒸発機３２は、冷蔵庫本体１の裏面下部に形成された機械室４０に設けられる圧縮機４２及び凝縮機(図示せず)によって低温低圧化された冷媒が流入され、周辺の空気との熱交換によって製氷室２０を低温化（製氷が可能な程度の低温）させるように設けられたものである。
【００４７】
そして、前記蒸発機３２との接触によって生成される冷気を、前記製氷室２０の内部により速かに伝達できるように送風ファン３４を設けることも可能である。前記蒸発機３２は、周辺空気との熱交換を通じて低温の空気を生成させられるものであれば、いかなる形態の蒸発機を用いることも可能であり、例えば、前記送風ファン３４の構成を省いて直接冷却方式を適用できる蒸発機を用いることもできる。
【００４８】
次に、冷蔵庫本体１に設けられている冷蔵室３及び冷凍室５に冷気を供給するための構成を説明する。前記冷蔵庫本体１の冷凍室５内部の後方には別の熱交換チャンバー４５が設けられている。前記熱交換チャンバー４５の内部には蒸発機４６及び送風ファン４７が設けられている。前記蒸発機４６は、機械室４０に設けられる圧縮機４２及び圧縮機（図示せず）によって供給される低温低圧の液状冷媒を用いて冷気を生成するものである。前記送風ファン４７は、前記蒸発機４６で生成された冷気を冷蔵室３及び冷凍室５に供給する。
【００４９】
前記熱交換チャンバー４５で作られた冷気のうち、その一部は前記送風ファン４７によって前記冷凍室５に直接供給される。そして、残りの冷気は前記冷蔵室３に供給される。このため、前記冷蔵庫本体１の断熱層を通って冷気供給ダクト４８及び帰還ダクト４９が形成される。前記冷気供給ダクト４８及び帰還ダクト４９は、それぞれ前記熱交換チャンバー４５と冷蔵室３側とを連通させるように形成される。前記冷気供給ダクト４８及び帰還ダクト４９は、前記バリア４の後方側またはバリア４の後方壁面に備えられる。
次に、図４及び図５は、本発明の第２実施例を示している。図示したように、本実施例では冷蔵庫本体１に形成された保存空間である冷蔵室３を開閉する扉７’、８’の大きさが異なるように形成される。すなわち、図面上、左側の冷蔵室扉７’が右側の冷蔵室扉８’よりも幅が狭くなっている。
【００５０】
これは冷蔵庫が大型化されて行く趨勢において、大型化された冷蔵室３を必要な部分のみを開放して食品を入出できるようにするためである。勿論、前記実施例のように左右幅が相等しい２つの扉７、８を用いても、いずれか一側の扉７、８のみを開放することにより、開放される部分を減らせる。しかし、本実施例のように、相異なる左右幅を有する扉７’、８’を用いれば、冷気の流出を相対的にもっと減らせるようになる。
【００５１】
一方、前記のように相異なる左右幅を有する扉７’、８’を採用すれば、前記冷蔵室３の内部に備えられる構成をこれに合わせることが望ましい。すなわち、前記冷蔵室３には空間を效率的に使うように棚１０を多数設ける。前記棚１０は冷蔵室３を上下に区切り、その上面に食品を載せて保存できるようにする。
【００５２】
そして、前記冷蔵室３には複数の引出し容器１２、１２’が備えられる。前記引出し容器１２、１２’は、その内部に食品を保存できるものであり、冷蔵室３内部に保存されるが、その内部が冷蔵室３とは完全に区画された空間になる。前記引出し容器１２、１２’は左右に配置されるものが、それぞれ前記扉７’、８’の左右幅によってその左右幅が異って形成される。これは扉７’、８’のうちいずれか１つを開けた時、ここに対応するそれぞれの引出し容器１２、１２’を取出せるようにするためである。
【００５３】
一方、前記扉７’、８’が閉まった時に、相互対向する側面にはガスケット７ｇ、８ｇを設けることが望ましい。前記ガスケット７ｇ，８ｇは、前記扉７’、８’の上下方向の長さと対応する長さを有するように設計される。このような構成によって、それぞれの扉７’、８’が冷蔵室３を完全に閉めた状態で、前記ガスケット７ｇ、８ｇが相互密着される。したがって、前記ガスケット７ｇ、８ｇは、封止の役割を果たし、扉７’、８’の先端を通って冷気が漏れるのを防げる。これは、上述の実施例にも適用できる。
【００５４】
次に、図６を参考して、本発明で前記ディスペンサ及び製氷機に水を供給するための構成を説明する。給水源からの水は供給管５０を通って冷蔵庫本体１の内部に案内され、フィルター５２に供給される。前記供給管５０には、冷蔵庫本体１への水供給を制御するバルブ５０Ｖが備えられる。
【００５５】
前記フィルター５２は、供給された水を浄水するものである。前記フィルター５２で浄水された水は、製氷供給管５４及びタンク供給管５５を通り、それぞれ前記製氷機２４及び給水タンク５６に供給される。前記製氷供給管５４及びタンク供給管５５には、それぞれバルブ５４Ｖ、５５Ｖが備えられる。勿論、前記フィルター５２から１つの管が延びて１つのバルブにおいて前記製氷供給管５４とタンク供給管５５とに分枝され、水が供給されることもできる。
【００５６】
給水タンク５６は、一定量の水を冷蔵状態に維持しつつ、ディスペンサ２９に水を供給する役割を果たす。前記給水タンク５６は、ディスペンサ供給管５８によってディスペンサ２９と連結されて水を供給する。前記ディスペンサ供給管５８は、冷蔵室扉７’の下部ヒンジを貫通して設けられる。
【００５７】
本実施例において、前記給水タンク５６は、冷蔵室３の内部一側に設けられており、前記給水タンク５６から冷蔵室扉７’側に直接連結されるので、前記ディスペンサ２９から取出される水は常に冷蔵状態の温度を維持できる。
【００５８】
ここで、前記供給管５４、５５、５８は、冷蔵室３内部に露出しないようにするために、冷蔵室３を形成するインナーケースの裏面側に埋設されるか、または冷蔵室を形成する壁体の断熱材内部に埋設されることが望ましい。
【００５９】
次に、図７を参考して、ディスペンサ及び製氷機に水を供給する他の実施例を説明する。図示したように、給水源とつながれた供給管５０が冷蔵庫本体１に連結される。前記供給管５０とつながるように、冷蔵庫本体１にはフィルター５２が設けられる。前記フィルター５２は水を浄水するものである。前記供給管５０には前記フィルター５２への水供給を制御するためのバルブ５０Ｖが備えられる。
【００６０】
前記フィルター５２と製氷機２４間は製氷供給管５４’によってつながれ、前記製氷供給管５４’にはバルブ５４Ｖが備えられる。前記製氷機２４には前記製氷供給管５４’を通って水が供給される。前記製氷供給管５４’で分枝されてタンク供給管５５’が備えられる。前記タンク供給管５５’は、前記バルブ５４Ｖとフィルター５２間で分枝されなければならない。前記タンク供給管５５’は、後述する給水タンク５６’に水を供給するものである。前記タンク供給管５５’にもバルブ５５Ｖが備えられる。勿論、前記製氷供給管５４’及びタンク供給管５５’に供給する水の量を制御するために、前記供給管５４’、５５’が分枝される部分に１つのバルブを用いることもできる。
【００６１】
前記ディスペンサ２９が備えられる冷蔵室扉７’には給水タンク５６’が備えられる。前記給水タンク５６’は、フィルター５２で浄水された水を臨時に保存してから、ディスペンサ２９に供給する役割をする。前記給水タンク５６’が冷蔵室扉７’に設けられることにより、前記タンク供給管５５’は前記扉７’の上部ヒンジを通って扉７’に連結される。前記冷蔵室扉７’に備えられた給水タンク５６’とディスペンサ２９間はディスペンサ供給管５８によって連結される。
【００６２】
以下、上記構成の本発明による冷蔵庫の作用を詳細に説明する。まず、本発明の冷蔵庫の動作を説明する。冷蔵庫が駆動すると、前記機械室４０に設けられている圧縮機４２及び前記蒸発機４６を含む熱交換サイクルが作動されつつ、前記蒸発機４６で冷気が生成される。前記冷気は前記送風ファン４７によって前記冷凍室５及び冷蔵室３に供給される。前記冷凍室５に供給された冷気は、冷凍室５内部を循環した後、再び熱交換チャンバー４５へ帰還される。前記冷蔵室３には、冷気供給ダクト４８を通って冷気が供給され、冷蔵室３の内部を循環した冷気は、帰還ダクト４９を通って前記熱交換チャンバー４５へ帰還される。
【００６３】
そして、前記製氷機２４には、前記製氷室２０に別に備えられている蒸発機３２から冷気が供給される。前記製氷室２０は、断熱隔壁２２によって冷蔵室３と区画されているため、これらの間の冷気流動はない。製氷室２０への冷気供給のためには、前記機械室４０の圧縮機４２及び前記蒸発機３２を含む熱交換サイクルが作動せねばならない。前記蒸発機３２で生成された冷気は、前記送風ファン３４によって製氷室２０の内部へ伝達され、製氷機２４で製氷が行われるようにする。
【００６４】
ここで、前記製氷室２０は、前記断熱隔壁２２によって冷蔵室３と区画されており、冷蔵室３や冷凍室５とは別の蒸発機３２から冷気が供給されている。したがって、前記冷蔵室３内部の温度や製氷室２０内部の温度は相互関係がなく、別々に制御される。
【００６５】
本発明において前記製氷室２０は、冷蔵室内部で断熱隔壁２２によって区分される別の空間である。したがって、前記断熱隔壁２２は、実質的に冷蔵室３内部において別の製氷空間を形成できる技術的範囲内で、様々な変更が可能であることは言うまでもない。
【００６６】
すなわち、製氷室２０そのものを冷蔵室３内部に着脱可能に構成することもできる。より詳しく説明すれば、断熱隔壁２２を箱状に形成して製氷室２０を構成するのである。このような製氷室２０を冷蔵室３内部に着脱可能に設けることによって、本発明を具現化できる。
【００６７】
このように前記製氷室２０を別に形成し、これを冷蔵室３内部に着脱可能に（例えば、生産ラインで）設けることによって、実質的に冷蔵室の内部空間をより効果的に使うことができる。そして、前記製氷室２０を着脱可能に構成する場合には、製氷室２０内部の製氷機及び蒸発機などを製氷室に一体化させることを考えられる。
【００６８】
次に、本発明で前記冷蔵室３は、２つの扉７、８（７’、８’）によって開閉される。このような構成は冷蔵庫の大型化趨勢において、冷気の損失を最小化できるものである。冷蔵庫の大型化趨勢に従って、冷蔵室３の容積も大型化している。特に、本発明では、製氷室２０が冷蔵室３に設けられるため、その容積が相対的に大きくなる。
【００６９】
したがって、冷蔵室３を開閉するための扉７、８（７’、８’）を一対で構成した。すなわち、扉７、８（７’、８’）を一対にして所望の冷蔵室３の領域のみを開放して食品を入出するようにし、冷気の損失を最小化した。特に、図４に示すように、扉７’、８’の左右幅を相異ならせて冷気の損失をさらに減らせる。すなわち、相対的に頻繁に開閉する領域に相対的に幅が狭い扉を設けるか、または、ユーザが意図的に幅が狭い扉７’の方に頻繁に入出される食品を保存するのである。
【００７０】
このために、図５に示すように、冷蔵室３の内部の引出し容器１２、１２’に扉７’、８’の左右幅と対応する幅を持たせた。これにより、冷蔵室３を最小に開放した状態で食品の入出ができる。
【００７１】
一方、本発明の冷蔵庫において、前記冷凍室５は冷蔵庫本体１の相対的に下部にあり、その扉９は引出式で動作される。したがって、扉を前方に引っ張って開き、内部の内容物を上部から探しやすくなる。
【００７２】
次に、前記製氷機２４及びディスペンサ２９に水が供給される過程を説明する。前記製氷機２４やディスペンサ２９（実際には、給水タンク５６）で水が必要となれば、給水源から水が冷蔵庫本体１に供給される。すなわち、前記バルブ５０Ｖが開放されて給水源からフィルター５２に水が供給される。前記フィルター５２で浄水された水は、前記バルブ５４Ｖ、５５Ｖが開放されることにより、前記製氷機２４や給水タンク５６にそれぞれ供給される。この時、前記フィルター５２から出た水は、前記製氷供給管５４、５４’を通って製氷機２４に供給され、前記タンク供給管５５、５５’を通って給水タンク５６に供給される。
【００７３】
前記製氷機２４に供給された水は、氷となり、前記氷保存部２６に供給される。前記氷を前記製氷機２４から前記氷保存部２６へ伝達することは、自動または手動で行われうる。前記氷保存部２６に保存された氷は、前記ディスペンサ２９の操作によって外部へ取出されうる。
【００７４】
すなわち、ユーザが、前記ディスペンサ２９から氷の取出しを行うことを命令すると、前記氷排出ダクト２８が開放されて前記氷保存部２６にあった氷がディスペンサ２８に伝達され、取出される。前記氷保存部２６にあった氷は、移送のための器具によって前記氷保存部２６から移送され、氷排出ダクト２８に伝達される。
【００７５】
次に、前記給水タンク５６、５６’に水が供給される過程を説明する。前記給水タンク５６、５６’の水貯蔵量が一定量以下になると、前記バルブ５０Ｖが開放されて給水源から水が供給される。前記給水源からフィルター５２に伝達された水は、浄水され、前記タンク供給管５５、５５’を通って給水タンク５６，５６’に伝達される。
ここで、前記給水タンク５６、５６’は、冷蔵庫の冷蔵室３または冷蔵室扉７、７’に備えられているため、冷蔵室３の内部温度の影響を受ける。すなわち、冷蔵室３の内部温度と同じ温度で維持され、ディスペンサ２９を通って、ユーザは、相対的に冷たい水の供給を受けられる。
【００７６】
以上のように、上記実施例を参照して詳細に説明され図示されたが、本発明は、これに限定されるものでなく、このような本発明の基本的な技術的思想を逸脱しない範囲内で、当業界の通常の知識を有する者にとっては、他の多くの変更や改作が可能であろう。また、本発明は、添付の特許請求の範囲により解釈されるべきであることは言うまでもない。
【００７７】
このような本発明によれば、次のような効果を期待できる。
まず、冷蔵庫本体の相対的に上部に設けられた冷蔵室の内部に別に区画された製氷室を設けることにより、製氷室の温度が冷蔵室に全く影響を及ぼさなくなる。したがって、製氷室及び冷蔵室の温度制御が別々で正確に行われうる。特に、製氷室に別の蒸発機を設けて冷気を形成するため、製氷能力を極大化すると共に消費全力を最小化できる効果を奏する。
【００７８】
次に、本発明では、相対的に容積の大きい冷蔵室を複数個の扉で開閉するように構成している。したがって、冷蔵室の一部のみを開放して食品を入出することができ、冷気の損失を最小化できる効果を奏する。
【００７９】
これに加えて、冷蔵室の開閉のための扉の左右幅を異に形成し、冷蔵室内部の引出し容器の左右幅も同様に対応させることにより、一側の扉のみを開放して容易に物品を収納できる効果も奏する。
【００８０】
そして、冷蔵室の開閉のための扉が２つに分離されて構成されるため、扉の開閉のための回転半径が最小化される。したがって、冷蔵庫の前方に冷蔵室扉の開閉のための空間が最小化され、冷蔵庫が設けられる空間をより効率的に使える。
【００８１】
また、冷蔵室の開閉のための扉の先端にガスケットをそれぞれ設け、扉が閉まった時に、相互密着されるようにした。したがって、冷蔵庫内部の冷気が漏れることが最小化される効果を奏する。
【００８２】
次に、本発明では、製氷室及びディスペンサに水を供給するための管が、冷蔵庫本体のうち、冷蔵室側にだけ備えられるように設計された。したがって、水の供給のための構成が全体的に簡単になって冷蔵庫の組立過程が便利になり、管の損傷を防止できる。
【００８３】
そして、冷蔵室内部または冷蔵室扉の裏面に設けられている給水タンクからディスペンサを通って取出される水が常に冷蔵状態を維持できる効果を奏し、また水の供給のための管が冷凍室側を経由しないために結氷による問題点を解消できる。
【図１】
2010266195.tif 000003
【図２】
2010266195.tif 000004
【図３】
2010266195.tif 000005
【図４】
2010266195.tif 000006
【図５】
2010266195.tif 000007
【図６】
2010266195.tif 000008
【図７】
2010266195.tif 000009
【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
冷蔵庫本体の相対的に上部に冷蔵室が設けられ、下部に冷凍室が設けられている冷蔵庫において、
前記冷蔵室の周縁部に回動可能に設けられて、前記冷蔵室を選択的に開閉する一対の冷蔵室扉と、
前記一対の冷蔵室扉中のいずれか１つの後方に位置し、前記いずれか１つの扉が閉まった状態では前記冷蔵室の内部空間に位置し、製氷機を含む製氷室と、
前記いずれか１つの冷蔵室扉に設けられ、前記製氷室と連通して水または氷が外部に排出されるようにするディスペンサと、
前記いずれか１つの冷蔵室扉を貫通して、入口部が前記製氷室と連通し、出口部が前記ディスペンサと連通する氷排出ダクトと、
前記製氷室と前記ディスペンサに水を供給するための水供給手段を含み、
前記水供給手段は、
一端が外部の給水源に連結されて水を供給する供給管と、
前記供給管の他端に連結されるフィルターと、
前記フィルターから前記製氷機に延長される製氷機供給管と、
前記フィルターまたは前記製氷機供給管のいずれか１つから延長されて、前記ディスペンサーに連結されるディスペンサー供給管と、
前記供給管と、製氷機供給管及びディスペンサー供給管のある箇所に設けられ、水の流動を制御するバルブを含み、
少なくとも前記ディスペンサー供給管は前記ディスペンサーが設けられる冷蔵室扉のヒンジを貫通して前記ディスペンサーに連結されることを特徴とする冷蔵庫。
【請求項２】
前記ディスペンサー供給管のある箇所に設けられる給水タンクを更に含むことを特徴とする請求項１に記載の冷蔵庫。
【請求項３】
前記給水タンクは前記ディスペンサーが設けられる冷蔵室扉の内部に受容されることを特徴とする請求項２に記載の冷蔵庫。
【請求項４】
前記フィルターは前記冷蔵室内部に取付けられることを特徴とする請求項１に記載の冷蔵庫。
【請求項５】
前記製氷室は前記ディスペンサーが設けられる冷蔵室扉の背面に取付けれることを特徴とする請求項１に記載の冷蔵庫。
【請求項６】
前記製氷室は前記冷蔵室内部に取付けられ、
前記製氷室は前記ディスペンサーが設けられる冷蔵室扉によって遮蔽される領域に位置することを特徴とする請求項１に記載の冷蔵庫。
【請求項７】
前記製氷室は、
前記製氷機で作られた氷を保存する氷保存部と、
前記氷保存部に設けられ、前記氷保存部内の氷を前記氷排出ダクトの入口部側に移送する氷移送機構を更に含むことを特徴とする請求項１に記載の冷蔵庫。